【手続補正書】
【提出日】平成18年10月10日(2006.10.10)
【手続補正１】
【補正対象書類名】明細書
【補正対象項目名】発明の名称
【補正方法】変更
【補正の内容】
【発明の名称】指紋撮像装置及び撮像方法
【手続補正２】
【補正対象書類名】明細書
【補正対象項目名】特許請求の範囲
【補正方法】変更
【補正の内容】
【特許請求の範囲】
【請求項１】  指の皮膚に対し光学的に透明な材料により明瞭な表面を備えた被写体台と、
上記指の皮膚に隣接した被写体台の内面で内部全反射又は減衰内部全反射により反射するように照明する光源と、
上記被写体台内部に接触するか又は少なくとも一部分が存在するように設けて該被写体台の内面頂部から反射された光をセンサに結像するように配置したＧＲＩＮレンズアレイと、
一列状の線形センサーアレイとにより構成した、指紋撮像装置。
【請求項２】  更に、平行な複数列の線形センサーアレイを有する、請求項１に記載の指紋撮像装置。
【請求項３】  更に、光源からの光をミラー又は内部全反射を用いて被写体台の内面に反射により再び指向させるようにした請求項１に記載の指紋撮像装置。
【請求項４】  更に、光源からの光を凸凹状とした被写体台の内面に反射により再び指向させるようにした請求項３に記載の指紋撮像装置。
【請求項５】  更に、光源からの光を被写体台の内部に成形されたレンズによりコリメートさせるようにした請求項３に記載の指紋撮像装置。
【請求項６】  更に、被写体台の頂部に、該被写体台の材料又はそれとは異なる光学的に透明な材料のいずれかにより形成された隆起部を有する請求項１に記載の指紋撮像装置。
【請求項７】  更に、結像手段に入る前にミラー又は内部全反射を用いて被写体台表面から内面に光を反射させるようにした請求項１に記載の指紋撮像装置。
【請求項８】  更に、線形センサーアレイ結像手段に入る前にミラー又は内部全反射を用いて結像手段から内面に光を反射させるようにした請求項１に記載の指紋撮像装置。
【請求項９】  更に、被写体台表面に埋設された液貯留部を有する請求項１に記載の指紋撮像装置。
【請求項１０】  更に、被写体台に黒化した表面部を有する請求項1に記載の指紋撮像装置。
【請求項１１】  更に、指の運行速度を検知しかつ測定するとともに電子出力における寸法誤差を修正する方法を採用した請求項１に記載の指紋撮像装置。
【請求項１２】  更に、指の運行速度を検知しかつ測定するとともに電子出力における寸法誤差を修正する方法を採用した請求項２〜請求項６又は請求項７〜請求項１０のいずれかに記載の指紋撮像装置。
【請求項１３】  様々な表面を備えた対象物の画像を生成するにあたり、
透明な被写体台の透明な隆起部上に対象物を移動させる工程と、
下方から光を当てて照明する工程と、
内部全反射又は減衰内部全反射される光を収集するとともに線形センサーアレイに指向させて該線形センサーアレイに対象物の電子画像を生成する工程とを含む、撮像方法。
【請求項１４】  更に、対象物の運行速度を測定して電子画像における形状寸法誤差を修正する工程を含む、請求項１３に記載の撮像方法。
【請求項１５】  指の皮膚に対し光学的に透明な材料により明瞭な表面を備えた被写体台と、
上記指の皮膚に隣接した被写体台の内面で内部全反射又は減衰内部全反射により反射するように照明する光源と、
上記被写体台の内面頂部から反射された光をセンサーに結像するように配置したリレーレンズアレイと、
一列状の線形センサーアレイとにより構成した、指紋撮像装置。
【請求項１６】  更に、平行な複数列の線形センサーアレイを有する、請求項１５に記載の指紋撮像装置。
【請求項１７】  更に、被写体台の頂部に、該被写体台の材料又はそれとは異なる光学的に透明な材料のいずれかにより形成された隆起部を有する請求項１５に記載の指紋撮像装置。
【請求項１８】  更に、結像手段に入る前にミラー又は内部全反射を用いて被写体台表面から内面に光を反射させるようにした請求項１５に記載の指紋撮像装置。
【請求項１９】  更に、指の運行速度を検知しかつ測定するとともに電子出力における寸法誤差を修正する方法を採用した請求項１５に記載の指紋撮像装置。
【請求項２０】  指の皮膚に対し光学的に透明な材料により明瞭な表面を備えた被写体台と、
上記指の皮膚に隣接した被写体台の内面で内部全反射又は減衰内部全反射により反射するように照明する光源と、
上記被写体台の内面頂部から反射された光をセンサーに結像するように配置したＧＲＩＮレンズアレイと、
平行な複数列の線形センサーアレイとにより構成した、指紋撮像装置。
【請求項２１】  指の皮膚に対し光学的に透明な材料により明瞭な表面を備えた被写体台と、
上記指の皮膚に隣接した被写体台の凸凹状の内面を照明して該内面で内部全反射又は減衰内部全反射により反射させるとともにミラー又は内部全反射を用いて被写体台表面から内面に光を反射させて再び指向させるようにした光源と、
上記被写体台の内面頂部から反射された光をセンサーに結像するように配置したＧＲＩＮレンズアレイと、
一列状の線形センサーアレイとにより構成した、指紋撮像装置。
【請求項２２】  指の皮膚に対し光学的に透明な材料により明瞭な表面を備えた被写体台と、
上記指の皮膚に隣接した被写体台の内面を照明して該内面で内部全反射又は減衰内部全反射により反射させて該被写体台の内部に成形されたレンズによりコリメートするとともにミラー又は内部全反射を用いて被写体台表面から内面に反射させて再指向するようにした光源と、
上記被写体台の内面頂部から反射された光をセンサーに結像するように配置したＧＲＩＮレンズアレイと、
一列状の線形センサーアレイとにより構成した、指紋撮像装置。
【請求項２３】  指の皮膚に対し光学的に透明な材料により明瞭な表面を備える被写体台であって、その頂部に該被写体台の材料又はそれとは異なる光学的に透明な材料のいずれかにより形成された隆起部を有する被写体台と、
上記指の皮膚に隣接した被写体台の内面で内部全反射又は減衰内部全反射により反射するように照明する光源と、
上記被写体台の内面頂部から反射された光をセンサーに結像するように配置したＧＲＩＮレンズアレイと、
一列状の線形センサーアレイとにより構成した、指紋撮像装置。
【請求項２４】  指の皮膚に対し光学的に透明な材料により明瞭な表面を備えた被写体台と、
上記指の皮膚に隣接した被写体台の内面で内部全反射又は減衰内部全反射により反射するように照明する光源と、
上記被写体台の内面頂部から反射された光をセンサーに結像するように配置したＧＲＩＮレンズアレイと、
一列状の線形センサーアレイとにより構成した、指紋撮像装置。
【請求項２５】  指の皮膚に対し光学的に透明な材料により明瞭な表面を備える被写体台と、
上記被写体台の表面部に埋設された貯留部と、
上記指の皮膚に隣接した被写体台の内面で内部全反射又は減衰内部全反射により反射するように照明する光源と、
上記被写体台の内面頂部から反射された光をセンサに結像するように配置したＧＲＩＮレンズアレイと、
一列状の線形センサーアレイとにより構成した、指紋撮像装置。
【手続補正３】
【補正対象書類名】明細書
【補正対象項目名】０００６
【補正方法】変更
【補正の内容】
【０００６】
（発明の開示）
本発明の指紋撮像装置は、線形アレイセンサー上に高コントラストの複数の画像スライスを投影できる接触式画像センサー（ＣＩＳ）である。また、ＦＴＩＲ手段による高コントラストの画像を作成できる、すなわち、ＧＲＩＮ（屈折率分布型）レンズアレイにより線形アレイセンサーに結像された指紋の隆起部を直接に表示できる新規な光学系を採用している。
【手続補正４】
【補正対象書類名】明細書
【補正対象項目名】０００７
【補正方法】変更
【補正の内容】
【０００７】
一般的に好ましい実施例として、センサーの光学的透明の被写体台又は圧盤体（プラテン）に指が圧接される際、移動する指紋の幅を撮像する小型ＣＩＳセンサーがある。指紋を撮像するには、被写体台の内側に光を照射する必要がある。光源からの光を、線形アレイセンサーの幅に平面状の光を形成できるように光を配向かつコリメートするレンズとして作用する平面あるいは曲面を透過させて、透明被写体台の内側面に照射する。照射された光を、内部全反射（ＴＩＲ）、つまり、１つまたは複数のミラー表面での反射により、被写体台の内側へ指向させることも可能である。被写体台の内方への光反射の利用により、光源をプリント回路基板などの適当な部材上に配置することができ、光源の位置によって被写体台の形状を変更するとか、被写体台をより小型にすることが可能である。また、被写体台の反射面つまりＴＩＲ表面を、完全に平坦ではなく、幾らか凸凹状として、光線を部分的に散乱できようにして、指紋の照射をより明るくしても構わない。